(57)【要約】【課題】コントローラボード交換時の顧客情報の漏洩を防止した画像処理装置を提供する。【解決手段】交換元コントローラボード１ＢのＮＶＭ５Ｂに記憶されたデータを交換先コントローラボード１ＡのＮＶＭ５Ａに書き込み、交換先コントローラボード１ＡのＮＶＭ５Ａへの書き込み終了後に、交換元コントローラボード１ＢのＮＶＭ５Ｂに記憶されたデータを消去することにより、ＮＶＭ内のデータの外部への漏洩を防止することができる。また、コントローラボードを交換する場合、交換元の制御手段が故障等により動作することができない可能性が大いにあるが、画像処理装置に搭載された交換先コントローラボード１Ａに交換元コントローラボード１Ｂを接続し、交換先コントローラボード１Ａが交換元コントローラ１Ｂに記憶されたデータを読み出しにいくことで、データが読み出せないという問題の発生を防止することができる。【選択図】          図１
2005006222.tif 000002
【特許請求の範囲】
【請求項１】
画像処理装置から取り外され、交換される交換元コントーラボードの不揮発性記憶媒体に記憶されたデータを登録し、交換先コントローラボードとして前記画像処理装置に搭載されたコントローラボードであって、
前記画像処理装置に搭載された前記交換先コントローラボードは、
前記交換元コントローラボードと接続し、
前記交換元コントローラボードの前記不揮発性記憶媒体に記憶されたデータを前記交換先コントローラボードの不揮発性記憶媒体に書き込み、
前記交換先コントローラボードの不揮発性記憶媒体への書き込み終了後に、前記交換元コントローラボードの不揮発性記憶媒体に記憶された前記データを消去することを特徴とするコントローラボード。
【請求項２】
前記交換先コントローラボードと前記交換元コントローラボードとの間を、少なくともアドレス信号ラインと制御信号ラインとデータ信号ラインとを有するケーブルで接続し、
前記交換先コントローラボード上の制御手段が、前記交換元コントローラボード上の不揮発性記憶媒体に対してアドレス信号と制御信号とを送出し、
前記交換元コントローラボード上の不揮発性記憶媒体が、前記送出されたアドレス信号と制御信号に対応するデータを前記交換先コントローラボードに送出することで前記交換元コントローラボードの前記不揮発性記憶媒体に記憶されたデータを前記交換先コントローラボードの不揮発性記憶媒体に書き込むことを特徴とする請求項１記載のコントローラボード。
【請求項３】
コントローラボードを装着可能な２以上のスロットを備え、該スロット間を少なくともアドレス信号ラインと制御信号ラインとデータ信号ラインとで接続したバックプレーンボードにより、前記交換先コントローラボードと前記交換元コントローラボードとを接続し、前記交換元コントローラボードの前記不揮発性記憶媒体に記憶されたデータの読み出しを開始することを特徴とする請求項１記載のコントローラボード。
【請求項４】
前記交換先コントローラボードのＤＭＡ（Ｄｉｒｅｃｔ  Ｍｅｍｏｒｙ  Ａｃｃｅｓｓ）機能によって、前記交換元コントローラボードの前記不揮発性記憶媒体に記憶された前記データを前記交換先コントローラボードの不揮発性記憶媒体に書き込み、
前記交換先コントローラボードの不揮発性記憶媒体への書き込み終了後に、前記交換先コントローラボード上の制御手段により、前記交換元コントローラボードの不揮発性記憶媒体に記憶された前記データを消去することで前記交換元コントローラボードの前記データを記憶し、前記画像処理装置を制御することを特徴とする請求項１または３記載のコントローラボード。
【請求項５】
前記交換先コントローラボードは、前記交換元のコントローラボードが接続されたことを検出する検出手段を有し、
前記検出手段による前記交換元コントローラボードの接続を検出後に、前記交換元コントローラボードの不揮発性記憶媒体に記憶した前記データの読み出しを開始することを特徴とする請求項１から４のいずれか１項に記載のコントローラボード。
【請求項６】
前記検出手段は、前記交換元コントローラボードとの接続の際に、接続検知用の信号線を前記交換元コントローラボードに接続し、
前記交換元コントローラボードが接続されることによる前記信号線の電圧変化を検出して前記交換元コントローラボードの接続を検出することを特徴とする請求項５記載のコントローラボード。
【請求項７】
前記交換先コントローラボードの制御手段により、前記交換元コントローラボードの不揮発性記憶媒体に０、１、または無意味なデータを書き込むことで前記データを消去することを特徴とする請求項１から６のいずれか１項に記載のコントローラボード。
【請求項８】
前記交換先コントローラボードの制御手段は、あらかじめ作成し記憶手段に記憶された消去用データを読み出して前記交換元の前記不揮発性記憶媒体に書き込むことで前記データを消去することを特徴とする請求項１から６のいずれか１項に記載のコントローラボード。
【請求項９】
請求項１から８のいずれか１項に記載のコントローラボードを搭載した画像処理装置であって、
前記コントローラボードは、前記画像処理装置の具備する操作入力手段により前記交換元コントローラボードから前記データの転送、および消去処理命令が入力されると、前記交換元コントローラボードの前記不揮発性記憶媒体からの前記データの読み出し制御を開始することを特徴とする画像処理装置。
【請求項１０】
前記コントローラボードは、前記不揮発性記憶媒体からの前記データの消去終了後、前記画像処理装置の具備する表示手段に前記交換元コントローラボードの前記不揮発性記憶媒体の記憶内容、または該不揮発性記憶媒体の記憶内容と前記コントローラボードの不揮発性記憶媒体の記憶内容とを表示する制御を行うことを特徴とする請求項９記載の画像処理装置。
【請求項１１】
前記コントローラボードは、前記不揮発性記憶媒体からの前記データの消去後、前記画像処理装置の具備する印字手段により前記交換元コントローラボードの前記不揮発性記憶媒体の記憶内容、または該不揮発性記憶媒体の記憶内容と前記コントローラボードの不揮発性記憶媒体の記憶内容とを印字する制御を行うことを特徴とする請求項９記載の画像処理装置。
【請求項１２】
画像処理装置に新たに搭載した交換先コントローラボードに、前記画像処理装置から取り外され、交換された交換元コントローラボードを接続し、該交換元コントローラボードに記憶されたデータを前記交換先コントローラボードに記憶させるコントローラボード交換システムであって、
前記交換先コントローラボードは、前記交換元コントローラボードの不揮発性記憶媒体から前記データを読み出し、該読み出したデータを前記交換先コントローラボードの不揮発性記憶媒体に書き込み、前記不揮発性記憶媒体への書き込み終了後、前記交換元コントローラボードの不揮発性記憶媒体に記憶された前記データを消去することを特徴とするコントローラボード交換システム。
【請求項１３】
画像処理装置に新たに搭載した交換先コントローラボードに、前記画像処理装置から取り外され、交換された交換元コントローラボードを接続し、該交換元コントローラボードに記憶されたデータを前記交換先コントローラボードに記憶させるコントローラボード交換方法であって、
前記交換先コントローラボードにおいて、
前記交換元コントローラボードの不揮発性記憶媒体から前記データを読み出し、該読み出したデータを前記交換先コントローラボードの不揮発性記憶媒体に書き込むデータ書き込みステップと、
前記不揮発性記憶媒体への書き込み終了後、前記交換元コントローラボードの不揮発性記憶媒体に記憶された前記データを消去するデータ消去ステップと、
を有することを特徴とするコントローラボード交換方法。
【発明の詳細な説明】
【０００１】
【発明の属する技術分野】
本発明は、複写機、プリンタ、ファクシミリ等の画像処理装置に装着されるコントローラボードに関し、特に故障等によりコントローラボードを交換する際のデータ転送に関する。
【０００２】
【従来の技術】
プリンタ、複写機、あるいは複数の機能を備える複合機等の画像処理装置では、ＣＰＵを搭載したコントローラボードが搭載され、このコントローラボードにより画像データの処理がなされる。
【０００３】
しかしながら、コントローラボードに不具合が発生した場合や保守メンテナンスのためにコントローラボードを交換しなければならないことがある。
【０００４】
データ処理装置におけるＣＰＵボードの交換方式について開示された発明が、以下に示す特許文献１に開示されている。また、ガス燃焼機器等の制御基板の交換方式に関して開示された発明が、以下に示す特許文献２に開示されている。
【０００５】
【特許文献１】
特開平５−３１３９２７号公報
【特許文献２】
特開２００１−２６３６５４号公報
【０００６】
特許文献１としての特開平５−３１３９２７号公報の開示内容は、以下の通りである。
特許文献１に開示された発明は、図１０に示されるように既存のＣＰＵボード（以下、交換元ＣＰＵボードという）１００を替わりのＣＰＵボード（以下、交換先ＣＰＵボードという）１０２に交換する際、交換元ＣＰＵボード１００のＣＰＵによって処理途中のデータを初期化することなく、ＣＰＵボードの連続処理を実現することを目的としている。このため、特許文献１に開示された発明は、交換先ＣＰＵボード１０２をデータ処理装置に挿入した際に、交換先ＣＰＵボード１０２内のＣＰＵから、交換元ＣＰＵボード１００内のＣＰＵへ割り込み信号を伝送し、交換元ＣＰＵ１００はデータ転送の命令をその内部メモリ１０３へ伝えてデータ転送を開始する。転送データを、交換元ＣＰＵボード１０２とＩ／Ｏボード１０１を接続している装置内バスを介して交換先ＣＰＵボード１０２内へ転送する。
【０００７】
この方式によれば、ＣＰＵボードを交換する際、替わりとなる交換先ＣＰＵボード１０２をデータ処理装置に差し込んだ後、交換元ＣＰＵボード１００のデータを交換先ＣＰＵボード１０２へ転送するため、交換先ＣＰＵボード１０２が交換元ＣＰＵボード１００と同じデータを有するようになる。従って、既存ＣＰＵ交換時に、システムの電源を切断せずに済むため、データ処理装置の処理を中断させずに、システム動作を連続で処理することができるとしている。
【０００８】
次に、特許文献２としての特開２００１−２６３６５４号公報の開示内容は、以下の通りである。
この発明は、ガス燃焼機器等の制御装置に関する発明であり、故障等により制御基板を交換する制御基板交換作業において、旧制御基板上の不揮発性メモリの情報を新制御基板上に複写する方法を開示している。
この特許文献２に開示された発明の構成を図１１に示す。図１１に示すように、交換後の新制御基板２０２Ａには、不揮発性メモリ２０１Ａと、不揮発性メモリ２０１Ａのアドレスを切り換えるアドレス設定手段２０４Ａと、給湯機動作を制御するマイクロコンピュータ２０８Ａと、外部と不揮発性メモリ２０１Ａのデータライン、電源ライン、アドレスラインを接続するためのコネクタを含めた接続手段２０５と、外部より接続手段２０５を経由して不揮発性メモリ２０１Ａに電源を供給する場合にマイコン２０８Ａの電源には影響を与えないようにするダイオード２０７Ａより構成されている。
【０００９】
また、マイコン２０８Ａは接続手段２０５により外部に接続された不揮発性メモリから、新制御基板２０２Ａ上の不揮発性メモリ２０１Ａにデータをコピーするデータコピー手段２０６Ａと、給湯機の通常運転時に不揮発性メモリ２０１Ａの情報を読み、運転制御に反映させる運転手段２０３Ａを有している。
【００１０】
なお、交換前の旧制御基板２０２Ｂにも同様な構成が設けられている。
【００１１】
まず、データをコピーするためのアドレス設定手段２０４Ａ，２０４Ｂの動作について説明する。
データをコピーするためには２つの不揮発性メモリ２０１Ａ，２０１Ｂのアドレスを異なるものとする必要がある。このためアドレス設定手段２０４Ａをオフ、アドレス設定手段２０４Ｂをオンとする。その結果、不揮発性メモリ２０１Ａのアドレスは、Ａ１１＝ハイ、Ａ１２＝ハイで［１１］となる。また、不揮発性メモリ２０１Ｂのアドレスは、Ａ２１＝ロー、Ａ２２＝ハイで［１０］となる。なお、この発明では、アドレス設定手段２０４Ａ，２０４Ｂの設定ミスを防止するため、専用の接続ケーブルを使用して新制御基板２０２Ａと旧制御基板２０２Ｂとを接続している。この専用の接続ケーブルにより旧制御基板２０２Ｂと新制御基板２０２Ａとのデバイスアドレスを設定している。
【００１２】
次に、旧制御基板２０２Ｂの不揮発性メモリ２０１Ｂに書き込まれたデータを新制御基板２０２Ａの不揮発性メモリ２０１Ａに書き込む手順を説明する。
制御基板間を接続して新制御基板２０２Ａの電源を入れると、まずデータコピー手段２０６Ａは、データを読み出したい不揮発性メモリ２０１Ｂのアドレスを指定してリードコマンドを送信する。アドレスの一致したコマンドを受信した不揮発性メモリ２０１Ｂは、ＡＣＫを返す。データコピー手段２０６Ａは、ＡＣＫ応答を受信すると外部に不揮発性メモリ２０１Ｂが接続されていると判断し、データコピーを開始する。データコピー手段２０６Ａは、不揮発性メモリ２０１Ｂのデータをすべてリードし、一旦マイコン２０８ＡのＲＡＭ上に蓄積する。その後、不揮発性メモリ２０１Ａに対してライトコマンドを送信し、ＲＡＭに蓄積したデータをそのまま書き込む。以上の処理が完了すると、次に運転手段２０３Ａが不揮発性メモリ２０１Ａのデータをリードし、データを運転制御に反映させて、動作準備が完了する。
【００１３】
【発明が解決しようとする課題】
しかしながら上述した特許文献１に記載された発明は、交換元ＣＰＵボード１００のメモリ１０３に書き込まれたデータを、交換元ＣＰＵボード１００のＣＰＵの制御により交換先ＣＰＵボード１０２に書き込んでいる。すなわち、交換元ＣＰＵボード１００のＣＰＵがデータ転送命令を出してから動作が行われるようになっている。
【００１４】
制御基板を交換するということは、交換元のＣＰＵが故障等により動作することができない可能性が大いにあり、この場合必要なデータを新たな制御基板に反映させることができない。また、交換元ＣＰＵボードのメモリに装置を所有する顧客にとって重要な情報が書き込まれていた場合、交換元ＣＰＵボードと共に取り外されてしまうので、重要な情報が外部に漏洩する恐れがあり、セキュリティ上好ましくない。
【００１５】
また、特許文献２に開示された発明では、旧制御基板２０２Ｂから、新制御基板２０２Ａにデータを複写することだけが考慮されており、旧制御基板２０２Ｂの不揮発性メモリ２０１Ｂに書き込まれたデータについては一切触れられていない。コントローラボードの不揮発性記録媒体には、例えば画像処理装置であれば、ファクシミリ送信先番号やその顧客名、電子メールアドレスなどの使用者特定の情報が格納されている。
【００１６】
また、特許文献２に開示された発明は、上述したように新制御基板２０２Ａと旧制御基板２０２Ｂのアドレス設定手段２０４Ａ，２０４Ｂで固定的にオン或いはオフを行い、不揮発性メモリ２０１Ａ，２０１Ｂのデバイスアドレスを設定している。従って、新制御基板２０２Ａから旧制御基板２０２Ｂへ不揮発性メモリのデバイスアドレスを自動的に設定することができない。また、上述したようにアドレス設定手段２０４Ａ，２０４Ｂの設定ミスを防止するため、専用の接続ケーブルを使用して新制御基板２０２Ａと旧制御基板２０２Ｂとを接続しているが、もし、旧制御基板２０２Ｂか新制御基板２０２Ａの不揮発性メモリのデバイスアドレスが変更になった場合、別途専用ケーブルを準備しなければならない。
【００１７】
本発明は上記事情に鑑みてなされたものであり、コントローラボードの交換にあたって、既存の交換元コントローラボードに実装された不揮発性記記憶体内のデータを新しい交換先コントローラボードに転送すると共に、交換元コントローラボードの不揮発性記憶媒体内のデータを消去することにより、不揮発性記憶媒体内のデータの漏洩を防止したコントローラボード、画像処理装置、コントローラボード交換システム、およびコントローラボード交換方法を提供することを目的とする。
【００１８】
また、交換元コントーラボードが故障し、動作しない場合であっても、交換元コントローラボードから交換先コントローラボードへのデータ転送を可能とするコントローラボード、画像処理装置、コントローラボード交換システム、およびコントローラボード交換方法を提供することを目的とする。
【００１９】
また、接続ケーブルに特別な細工を施すことなく、確実、かつ容易に交換元コントローラボードから交換先コントローラボードへの不揮発性メモリのデータ転送を可能にするコントローラボード、画像処理装置、コントローラボード交換システム、およびコントローラボード交換方法を提供することを目的とする。
【００２０】
【課題を解決するための手段】
かかる目的を達成するために請求項１記載の発明は、画像処理装置から取り外され、交換される交換元コントーラボードの不揮発性記憶媒体に記憶されたデータを登録し、交換先コントローラボードとして前記画像処理装置に搭載されたコントローラボードであって、前記画像処理装置に搭載された前記交換先コントローラボードは、前記交換元コントローラボードと接続し、前記交換元コントローラボードの前記不揮発性記憶媒体に記憶されたデータを前記交換先コントローラボードの不揮発性記憶媒体に書き込み、前記交換先コントローラボードの不揮発性記憶媒体への書き込み終了後に、前記交換元コントローラボードの不揮発性記憶媒体に記憶された前記データを消去することを特徴としている。交換元コントローラボードの不揮発性記憶媒体に記憶されたデータを交換先コントローラボードの不揮発性記憶媒体に書き込み、交換先コントローラボードの不揮発性記憶媒体への書き込み終了後に、交換元コントローラボードの不揮発性記憶媒体に記憶されたデータを消去することにより、不揮発性記憶媒体内のデータの外部への漏洩を防止することができる。また、コントローラボードを交換する場合、交換元の制御手段が故障等により動作することができない可能性が大いにあり、この場合必要なデータを新たなコントローラボードに反映させることができない。これに対して本発明のように、画像処理装置に搭載された交換先コントローラボードに交換元コントローラボードを接続し、交換先コントローラボードが交換元コントローラに記憶されたデータを読み出しにいくことで、データが読み出せないという問題の発生を防止することができる。
【００２１】
請求項２記載の発明は、請求項１記載の発明において、前記交換先コントローラボードと前記交換元コントローラボードとの間を、少なくともアドレス信号ラインと制御信号ラインとデータ信号ラインとを有するケーブルで接続し、前記交換先コントローラボード上の制御手段が、前記交換元コントローラボード上の不揮発性記憶媒体に対してアドレス信号と制御信号とを送出し、前記交換元コントローラボード上の不揮発性記憶媒体が、前記送出されたアドレス信号と制御信号に対応するデータを前記交換先コントローラボードに送出することで前記交換元コントローラボードの前記不揮発性記憶媒体に記憶されたデータを前記交換先コントローラボードの不揮発性記憶媒体に書き込むことを特徴としている。交換先コントローラボードと交換元コントローラボードとの間を、アドレス信号ラインと制御信号ラインとデータ信号ラインとを有するケーブルで接続することで、交換先コントローラボードの制御手段による転送元コントローラの制御が可能となる。よって、接続ケーブルに特別な細工を施すことなく、確実、かつ容易に交換元コントローラボードから交換先コントローラボードへのデータ転送、および交換元コントローラボードに記憶されたデータを消去する制御が可能となる。
【００２２】
請求項３記載の発明は、請求項１記載の発明において、コントローラボードを装着可能な２以上のスロットを備え、該スロット間を少なくともアドレス信号ラインと制御信号ラインとデータ信号ラインとで接続したバックプレーンボードにより、前記交換先コントローラボードと前記交換元コントローラボードとを接続し、前記交換元コントローラボードの前記不揮発性記憶媒体に記憶されたデータの読み出しを開始することを特徴としている。交換先コントローラボードと交換元コントローラボードとの間を、スロットを備えたバックプレーンボードで接続することで、交換先コントローラボードの制御手段による転送元コントローラの制御が可能となる。よって、コントローラボード間の接続に特別な細工を施すことなく、確実、かつ容易に交換元コントローラボードから交換先コントローラボードへのデータ転送、および交換元コントローラボードに記憶されたデータを消去する制御が可能となる。
【００２３】
請求項４記載の発明は、請求項１または３記載の発明において、前記交換先コントローラボードのＤＭＡ（Ｄｉｒｅｃｔ  Ｍｅｍｏｒｙ  Ａｃｃｅｓｓ）機能によって、前記交換元コントローラボードの前記不揮発性記憶媒体に記憶された前記データを前記交換先コントローラボードの不揮発性記憶媒体に書き込み、前記交換先コントローラボードの不揮発性記憶媒体への書き込み終了後に、前記交換先コントローラボード上の制御手段により、前記交換元コントローラボードの不揮発性記憶媒体に記憶された前記データを消去することで前記交換元コントローラボードの前記データを記憶し、前記画像処理装置を制御することを特徴としている。交換先コントローラボード上の制御手段の負荷を軽減し、処理時間を短縮させることができる。
【００２４】
請求項５記載の発明は、請求項１から４のいずれか１項に記載の発明において、前記交換先コントローラボードは、前記交換元のコントローラボードが接続されたことを検出する検出手段を有し、前記検出手段による前記交換元コントローラボードの接続を検出後に、前記交換元コントローラボードの不揮発性記憶媒体に記憶した前記データの読み出しを開始することを特徴としている。検出手段を設けたことにより、交換元コントローラボードを交換先コントローラボードに接続することで交換元コントローラボードに記憶されたデータの消去処理を開始することができ、顧客の利便性を向上させることができる。
【００２５】
請求項６記載の発明は、請求項５記載の発明において、前記検出手段は、前記交換元コントローラボードとの接続の際に、接続検知用の信号線を前記交換元コントローラボードに接続し、前記交換元コントローラボードが接続されることによる前記信号線の電圧変化を検出して前記交換元コントローラボードの接続を検出することを特徴とする。よって、簡単な装置構成で検出手段を構成することができ、装置の大型化、高価格化を防止することができる。
【００２６】
請求項７記載の発明は、請求項１から６のいずれか１項に記載の発明において、前記交換先コントローラボードの制御手段により、前記交換元コントローラボードの不揮発性記憶媒体に０、１、または無意味なデータを書き込む。従って、不揮発性記憶媒体に記憶されたデータを消去することが可能となる。
【００２７】
請求項８記載の発明は、請求項１から６のいずれか１項に記載の発明において、前記交換先コントローラボードの制御手段は、あらかじめ作成し記憶手段に記憶された消去用データを読み出して前記交換元の前記不揮発性記憶媒体に書き込むことで前記データを消去することを特徴としている。あらかじめ作成した消去用データを用いて不揮発性記憶媒体に書き込まれたデータの消去を行うことで、消去にかかる時間の短縮化を図ることができる。
【００２８】
請求項９記載の発明は、請求項１から８のいずれか１項に記載のコントローラボードを搭載した画像処理装置であって、前記コントローラボードは、前記画像処理装置の具備する操作入力手段により前記交換元コントローラボードから前記データの転送、および消去処理命令が入力されると、前記交換元コントローラボードの前記不揮発性記憶媒体からの前記データの読み出し制御を開始することを特徴としている。従って、顧客からの指示入力によって交換元コントローラボードに記憶されたデータを消去することができ、顧客の利便性を向上させることができる。
【００２９】
請求項１０記載の発明は、請求項９記載の発明において、前記コントローラボードは、前記不揮発性記憶媒体からの前記データの消去終了後、前記画像処理装置の具備する表示手段に前記交換元コントローラボードの前記不揮発性記憶媒体の記憶内容、または該不揮発性記憶媒体の記憶内容と前記コントローラボードの不揮発性記憶媒体の記憶内容とを表示する制御を行うことを特徴としている。従って、交換元コントローラボードの不揮発性記憶媒体に記憶されていたデータが確かに消去されているか否かを顧客に確認させることができ、顧客に安心感を与えることができる。
【００３０】
請求項１１記載の発明は、請求項９記載の発明において、前記コントローラボードは、前記不揮発性記憶媒体からの前記データの消去後、前記画像処理装置の具備する印字手段により前記交換元コントローラボードの前記不揮発性記憶媒体の記憶内容、または該不揮発性記憶媒体の記憶内容と前記コントローラボードの不揮発性記憶媒体の記憶内容とを印字する制御を行うことを特徴としている。従って、交換元コントローラボードの不揮発性記憶媒体に記憶されていたデータが確かに消去されているか否かを顧客に確認させることができ、顧客に安心感を与えることができる。
【００３１】
請求項１２記載の発明は、画像処理装置に新たに搭載した交換先コントローラボードに、前記画像処理装置から取り外され、交換された交換元コントローラボードを接続し、該交換元コントローラボードに記憶されたデータを前記交換先コントローラボードに記憶させるコントローラボード交換システムであって、前記交換先コントローラボードは、前記交換元コントローラボードの不揮発性記憶媒体から前記データを読み出し、該読み出したデータを前記交換先コントローラボードの不揮発性記憶媒体に書き込み、前記不揮発性記憶媒体への書き込み終了後、前記交換元コントローラボードの不揮発性記憶媒体に記憶された前記データを消去することを特徴としている。交換元コントローラボードの不揮発性記憶媒体に記憶されたデータを交換先コントローラボードの不揮発性記憶媒体に書き込み、交換先コントローラボードの不揮発性記憶媒体への書き込み終了後に、交換元コントローラボードの不揮発性記憶媒体に記憶されたデータを消去することにより、データの外部への漏洩を防止することができる。また、コントローラボードを交換する場合、交換元の制御手段が故障等により動作することができない可能性が大いにあり、この場合必要なデータを新たなコントローラボードに反映させることができない。これに対して本発明のように、画像処理装置に搭載された交換先コントローラボードに交換元コントローラボードを接続し、交換先コントローラボードが交換元コントローラに記憶されたデータを読み出しにいくことで、データが読み出せないという問題の発生を防止することができる。
【００３２】
請求項１３記載の発明は、画像処理装置に新たに搭載した交換先コントローラボードに、前記画像処理装置から取り外され、交換された交換元コントローラボードを接続し、該交換元コントローラボードに記憶されたデータを前記交換先コントローラボードに記憶させるコントローラボード交換方法であって、前記交換先コントローラボードにおいて、前記交換元コントローラボードの不揮発性記憶媒体から前記データを読み出し、該読み出したデータを前記交換先コントローラボードの不揮発性記憶媒体に書き込むデータ書き込みステップと、前記不揮発性記憶媒体への書き込み終了後、前記交換元コントローラボードの不揮発性記憶媒体に記憶された前記データを消去するデータ消去ステップと、を有することを特徴としている。交換元コントローラボードの不揮発性記憶媒体に記憶されたデータを交換先コントローラボードの不揮発性記憶媒体に書き込み、交換先コントローラボードの不揮発性記憶媒体への書き込み終了後に、交換元コントローラボードの不揮発性記憶媒体に記憶されたデータを消去することにより、データの外部への漏洩を防止することができる。また、コントローラボードを交換する場合、交換元の制御手段が故障等により動作することができない可能性が大いにあり、この場合必要なデータを新たなコントローラボードに反映させることができない。これに対して本発明のように、画像処理装置に搭載された交換先コントローラボードに交換元コントローラボードを接続し、交換先コントローラボードが交換元コントローラに記憶されたデータを読み出しにいくことで、データが読み出せないという問題の発生を防止することができる。
【００３３】
【発明の実施の形態】
次に添付図面を参照しながら本発明にかかる実施の形態を詳細に説明する。
【００３４】
［第１の実施形態］
まず、図１を参照しながら本発明に係る第１の実施形態の構成を説明する。図１には第１の実施形態としての画像処理コントローラボード１の構成が示されている。
図１に示されるように本実施形態の画像処理コントローラボード１は、メモリバス７上にプログラムＲＯＭ３と、システムＲＡＭ４と、不揮発性メモリとしてのＮＶＭ（Ｎｏｎ  Ｖｏｌａｔｉｌｅ  Ｍｅｍｏｒｙ）５とが配置され、バスブリッジ回路６によるメモリバス７のコントロール機能により制御プログラムを実行するＣＰＵ２と、プログラムＲＯＭ３、システムＲＡＭ４とが結ばれる。また、メモリバス７上には、別のコントローラボードと接続ケーブルにて接続するためのコネクタ８を有する。コネクタ８はアドレス線、データ線、制御線、および電源供給線を含むケーブルの接続部となり、これらの線は、メモリバス７としてプログラムＲＯＭ３、システムＲＡＭ４、およびＮＶＭ５と接続される。
【００３５】
また、バスブリッジ回路６は、外部の装置とのインタフェースとなるユーザインタフェースコントローラ１０、ホストインタフェースコントローラ１１、ビデオインタフェースコントローラ１２とが接続されたＩ／Ｏバス９に接続され、ＣＰＵ２と外部装置との間のデータの送受信を制御している。
【００３６】
ＣＰＵ２は、プログラムＲＯＭ３に格納されたプログラムを使用して、システムＲＡＭ４をワーク領域として処理を行う。システムＲＡＭ４には処理中のデータやプログラムが書き込まれる。
【００３７】
ＮＶＭ５は、電源がＯＦＦされても内部データを保持できるフラッシュメモリやＭＲＡＭ（Ｍａｇｎｅｔｏｒｅｓｉｓｔｉｖｅ  ＲＡＭ）、あるいはバッテリでデータを保持されたＳＲＡＭ（Ｓｔａｔｉｃ  ＲＡＭ）等からなり、例えば、画像処理コントーラ１をファクシミリやネットワークプリンタに搭載した場合には、ファクシミリ送信先の番号や顧客名、電子メールアドレスなどの使用者特定の情報が格納される。
【００３８】
バスブリッジ回路６は、ＣＰＵ２とＩ／Ｏバス９との間のデータのやり取りの中継や、メモリバス７のコントロール機能（プログラムＲＯＭ３に記録されたプログラムをシステムＲＡＭ４に書き込む際の転送制御機能）を持つ。
【００３９】
また、Ｉ／Ｏバス９に接続されたビデオインタフェースコントローラ１２は、印刷エンジン２３を制御するエンジン制御ユニット２２と、スキャナ２５を制御するスキャナ制御ユニット２４とに接続されている。ビデオインタフェースコントローラ１２は、エンジン制御ユニット２２を介して印刷エンジン２３へ画像データを出力する機能、スキャナ制御ユニット２４を介してスキャナ２５から読み取った画像データを入力する機能を有している。
【００４０】
ホストインタフェースコントローラ１１は、ＩＥＥＥ．１２８４、ＵＳＢ、１００ＢａｓｅＴｘなどによって接続されたＰＣなどの外部ホストマシン群２１とのインタフェースを制御する。
【００４１】
ユーザインタフェースコントローラ１０は、ＬＣＤやテンキーを持つコントロールパネル２０とのインタフェースを制御する。
【００４２】
上記構成を具備する本実施形態は、ＣＰＵを搭載した画像処理コントローラボード１を保守や不具合の発生等の理由により交換する場合に、画像処理コントローラボード１に実装された不揮発性記憶媒体に書き込まれたデータが外部に漏洩しないようにしたことを特徴としている。特に、画像処理装置に搭載された画像処理コントローラボードにおいては、不具合が発生し正常に動作しない場合、画像処理コントローラボードを交換することが多い。画像処理装置のコントローラボードでは、搭載された不揮発性記憶媒体には、例えば取引先のファクシミリ番号やその顧客名、電子メールアドレスなど顧客にとって重要な顧客情報を含むデータが記録されている。このような不揮発性記憶媒体が搭載された画像処理コントローラボードに何ら手だてを加えず、そのまま新たな画像処理コントローラボードに交換した場合、顧客の重要な情報を含むデータを記録した不揮発性記録媒体が第三者の手に渡ってしまう可能性がある。
【００４３】
以下に、本実施形態の画像処理コントローラボードの交換手順を図３に示されたフローチャートを参照しながら説明する。
なお、以下の説明では、今まで画像処理装置に実装されていた画像処理コントローラボードを交換元コントローラボード１Ｂと呼び、新たに画像処理装置に交換実装される画像処理コントローラボードを交換先コントローラボード１Ａと呼ぶ。
【００４４】
まず、画像処理装置に搭載された交換元コントローラボード１Ｂを画像処理装置から取り外し、交換先コントローラボード１Ａを画像処理装置に搭載する（ステップＳ１）。次に、交換先コントローラボード１Ａと交換元コントローラボード１Ｂとをケーブルで接続する（ステップＳ２）。このとき、図２に示されるようにメモリバス７上に設けられたコネクタ８同士をケーブルで接続する。なお、以下の説明では、交換先コントローラボード１Ａに搭載された電子機器には符号Ａを、交換元コントローラボード１Ｂに搭載された電子機器には符号Ｂをつけて区別する。
【００４５】
画像処理装置の電源スイッチをオンすると（ステップＳ３）、交換先コントローラボード１Ａだけでなくコネクタ８経由で交換元コントローラボード１Ｂにも電源が供給される。
【００４６】
交換先コントローラボード１Ａが正常に起動した後、交換先コントローラボード１Ａに接続されたコントロールパネル２０から所定のコマンド（ＮＶＭ５Ｂに記憶されたデータの読み出し要求）を入力すると（ステップＳ４）、交換先コントローラボード１Ａ上のＣＰＵ２Ａは、交換元コントローラボード１Ｂ上のＮＶＭ５Ｂからデータを読み出し、自身のＮＶＭ５Ａにデータを書き込むようにデータ転送制御を開始する（ステップＳ５）。
【００４７】
データ転送終了後（ステップＳ６／ＹＥＳ）、交換先コントローラボード１ＡのＣＰＵ２Ａにより交換元コントローラボード１Ｂ上のＮＶＭ５Ｂ内のデータが消去される（ステップＳ７）。ここで、消去とは、ＮＶＭ５Ｂの全領域に０、１またはその他の無意味なデータを書き込むことを言う。
【００４８】
データ転送、データ消去まで終了した後、画像処理装置の電源をＯＦＦし（ステップＳ８）、交換元コントローラボード１Ｂを交換先コントローラボード１Ａから取り外す（ステップＳ９）ことですべての作業が終了する。
【００４９】
ここで、交換先コントローラボード１Ａ上のＣＰＵ２ＡによるＮＶＭ５Ｂからのデータ読み出し手順をより詳細に説明する。
交換先コントローラボード１Ａと交換元コントローラボード１Ｂとをケーブルで接続し、画像処理装置の電源をオンすると交換先コントローラボード１Ａだけでなく、交換元コントローラボード１Ｂにも電源が供給される。図４に交換先コントローラボード１Ａと交換先コントローラボード１Ｂとを接続するケーブルに含まれる信号線の構成を示す。図４に示すように交換先コントローラボード１Ａと交換元コントローラボード１Ｂとを接続するケーブル、およびコネクタ８には、交換先コントローラボード１Ａから交換元コントローラボード１Ｂへ電源を供給する電源供給ラインと、交換元コントローラボード１Ｂ上のＮＶＭ５Ｂへ接続される複数のアドレスラインと、制御ライン（チップセレクト信号やリード信号）、および複数のデータラインとが備えられている。
【００５０】
交換先コントローラボード１Ａが正常に起動した後、交換先コントローラボード１Ａに接続されたコントロールパネル２０から所定のコマンド（ＮＶＭ５Ｂに記憶されたデータの読み出し要求）を入力すると、交換先コントローラボード１Ａ上のＣＰＵ２Ａは、交換元コントローラボード１Ｂ上のＮＶＭ５Ｂからデータ読み出しを開始する。まず、交換先コントローラボード１Ａ上のＣＰＵ２Ａは、交換元コントローラボード１Ｂ上のＣＰＵ２Ｂに対して、停止信号（例えばリセット信号）を出力し、ＣＰＵ２Ｂを動作しないようにする。なお、交換元コントローラボード１Ｂ上のプログラムＲＯＭが取り外せるような構造の場合には、交換元コントローラボード１Ｂ上のプログラムＲＯＭを取り外すことにより、ＣＰＵ２Ｂを動作させないようにすることができる。そして、交換先コントローラボード１Ａ上のＣＰＵ２Ａにより交換元コントローラボード１Ｂ上のメモリバス７Ｂにアクセス可能にする。
【００５１】
ここで、交換先コントローラボード１Ａと交換元コントローラボード１Ｂとに搭載されたメモリ領域に通しでアドレスを割り当てたアドレスマップの一例を図５に示す。なお、このアドレスマップでは、アドレス空間を「００００」〜「ＦＦＦＦ」（１６進数で表記する）までの６４ＫＢｙｔｅとしたが、これに限定されるものではない。このメモリマップでは、「４０００」〜「４ＦＦＦ」（４ＫＢｙｔｅ）は交換先コントローラボード１ＡのＮＶＭ５のアドレス空間、「８０００」〜「８ＦＦＦ」（４ＫＢｙｔｅ）は交換元コントローラボード１Ｂ上のＮＶＭ５のアドレス空間である。
【００５２】
交換先コントローラボード１ＡのＣＰＵ２Ａは、図５に示すように自身のＮＶＭ５Ａのアドレス領域とは別の領域に、交換元コントローラボード１ＢのＮＶＭ５Ｂをマッピングしておく。次に、交換先コントローラボード１Ａ上のＣＰＵ２Ａは、交換元コントローラボード１Ｂ上のＮＶＭ５Ｂへアドレス「８０００」を送出し、チップセレクト信号とリード信号をアクティブにする。所定のアクセスタイム経過後、交換元コントローラボード１Ｂ上のＮＶＭ５Ｂは指定されたアドレス「８０００」に格納されたデータをメモリバス７Ｂ上に送出する。交換先コントローラボード１Ａ上のＣＰＵ２Ａは、このメモリバス７Ｂ上に出力されたデータを取り込み、交換先コントローラボード１Ａ上のＮＶＭ５Ａのアドレス「４０００」に書き込む。
【００５３】
上述した動作を、読み出しアドレスと書き込みアドレスとを変えながら、最終アドレスまで繰り返し行う。以上の動作により、交換元コントローラボード１Ｂ上のＮＶＭ５Ｂのデータを、交換先コントローラボード１Ａ上のＮＶＭ５Ａにコピーすることができる。
【００５４】
このように本実施形態は、交換元コントローラボード１ＢのＮＶＭ５Ｂに記憶されたデータを交換先コントローラボード１ＡのＮＶＭ５Ａに書き込み、交換先コントローラボード１ＡのＮＶＭ５Ａへの書き込み終了後に、交換元コントローラボード１ＢのＮＶＭ５Ｂに記憶されたデータを消去することにより、不揮発性記憶媒体内のデータの外部への漏洩を防止することができる。また、コントローラボードを交換する場合、交換元の制御手段が故障等により動作することができない可能性が大いにあり、この場合必要なデータを新たなコントローラボードに反映させることができない可能性があるが、本実施形態は、画像処理装置に搭載された交換先コントローラボード１Ａに交換元コントローラボード１Ｂを接続し、交換先コントローラボード１Ａが交換元コントローラボード１Ｂに記憶されたデータを読み出しにいくことで、データが読み出せないという問題の発生を防止することができる。
【００５５】
また、交換先コントローラボード１Ａと交換元コントローラボード１Ｂとの間を、電源供給ラインと、複数のアドレス信号ラインと、制御信号ラインとデータ信号ラインとを有するケーブルで接続することで、交換先コントローラボードのＣＰＵ２Ａによる転送元コントローラ１Ｂの制御が可能となる。よって、接続ケーブルに特別な細工を施すことなく、確実、かつ容易に交換元コントローラボード１Ｂから交換先コントローラボード１Ａへのデータ転送、および交換元コントローラボード１Ｂに記憶されたデータを消去する制御が可能となる。
【００５６】
なお、上述した実施形態では、ＮＶＭ５Ｂに記憶されたデータをＣＰＵ２Ａの転送制御によりＮＶＭ５Ａに書き込む動作を説明したが、メモリバス７のコントロール機能を持つバスブリッジ回路６ＡにＤＭＡ（Ｄｉｒｅｃｔ  ＭｅｍｏｒｙＡｃｃｅｓｓ）転送の機能を持たせ、データ転送を行うものであってもよい。この場合、交換元コントローラボード１ＢのＮＶＭ５Ｂに記憶されたデータを、交換先コントローラボード１Ａ上のＣＰＵ２Ａを介さずにバスブリッジ回路６Ａの転送制御により交換先コントローラボード１ＡのＮＶＭ５Ａに書き込む。
【００５７】
また、上述した実施形態では、メモリバス７に接続されたコネクタ８同士をケーブルで接続し、交換元コントローラボード１Ｂと交換先コントローラボード１Ａとの間のデータ転送を実現しているが、図７に示されるようにスロット３０やソケットを持つバックプレーンボード４０により交換先コントローラボード１Ａと交換元コントローラボード１Ｂとを接続するものであってもよい。
この場合、コントローラボードを装着することのできるスロットを２以上有するバックプレーンボードを用い、交換先コントローラボード１Ａと交換元コントローラボード１Ｂとを別々のスロットに挿入する。両ボードは、スロット３０Ａ、３０Ｂ、およびバックプレーンボード４０を介してアドレスライン、制御ライン、および複数のデータラインが接続される。
【００５８】
［第２の実施形態］
次に、図８を参照しながら本発明に係る第２の実施形態について詳述する。
本実施形態は、交換先コントローラボード１Ａに、交換元コントローラボード１Ｂを接続するまでは上述した第１の実施形態と同一である。本実施形態では、コントローラボードに他のコントローラボードが接続されていることを検知する手段を設けたことを特徴としている。
交換先コントローラボード１Ａに交換元コントローラボードを接続後、画像処理装置の電源をＯＮすると、交換先コントローラボード１Ａは交換元コントローラボード１Ｂが接続されており、交換元コントローラボード１ＢのＮＶＭ５Ｂからデータを転送するモードであることを検知する。従って、第１の実施形態のようにコントロールパネル２０からの指示なしに、自動的にデータ転送を開始し、データ転送終了後交換先コントローラボード１ＡのＣＰＵ２Ａにより、交換元コントローラボード１Ｂ上のＮＶＭ５Ｂのデータが消去される。
【００５９】
ここで、図８を参照しながらコントローラボードに搭載された他のコントローラボードの接続を検知する手段について説明する。
交換元コントローラボードが接続されていることを検知する手段として、例えば、以下に示す構成を取ることができる。交換先、交換元の両コントローラボードを接続するコネクタ８Ａ、８Ｂにおいて、接続検知用の信号線を一本設ける。交換先コントロールボード１Ａでは、数ＫΩ程度の抵抗にて電源に接続する。交換元コントローラボード１Ｂのコネクタ８Ｂでは、同信号線が接続されるコネクタピンをグランドに接続する。
【００６０】
交換元コントローラボード１Ｂを接続しない場合には、抵抗を介し電源に接続されているので、信号線はハイレベルの状態となる。また、交換元コントローラボード１Ｂが接続されると、信号線がグランドに接続されるので信号線はローレベルとなる。信号線の信号レベルを交換先コントローラボード１ＡのＣＰＵ２Ａが確認することで交換元コントローラボード１Ｂの接続の有無を検知することができる。
【００６１】
なお、本実施形態では、交換先コントローラボード１Ａと交換元コントローラボード１Ｂとをケーブルで接続した場合を例に説明したが、図９に示されるように、スロット３０やソケットを持つバックプレーンボード４０により交換先コントローラボード１Ａと交換元コントローラボード１Ｂとを接続するものであってもよい。
【００６２】
［第３の実施形態］
次に、本発明に係る第３の実施形態について説明する。
本実施形態は、上述した第１の実施形態、または第２の実施形態の動作手順に従って、交換元コントローラボード１ＢのＮＶＭ５Ｂに記憶されたデータを消去した後、交換元コントローラボード１ＢのＮＶＭ５Ｂ内のデータが完全に消去されたことを確認するため、図１に示すコントロールパネル２０に、交換元コントローラボード１ＢのＮＶＭ５Ｂに記憶されたデータを表示させる。この場合、ＣＰＵ１ＡはＮＶＭ５Ｂのデータを消去後、コントロールパネル２０に「交換元コントローラボード１Ｂに記憶されたデータを消去しました。交換元コントローラボード１Ｂに書き込まれたデータを表示しますか」といったガイダンスメッセージを表示させる。操作者からの指示入力によりデータを表示する選択がなされると、ＣＰＵ２Ｂは交換元コントローラボード１ＢのＮＶＭ５Ｂからデータを読み出し、読み出したデータをコントロールパネル２０に表示させる。ＮＶＭ５Ｂの全領域には０、１またはその他の無意味なデータが書き込まれているので、このような表示がコントロールパネル２０に表示されることで、顧客はデータが消去されたことを確認することができる。
【００６３】
また、交換元コントローラボード１ＢのＮＶＭ５Ｂ内のデータが完全に消去されたか否かを操作者に確認させるため、コントロールパネルから所定のコマンドが入力されると、交換先コントローラボード１ＡのＣＰＵ２Ａは、交換元コントローラボード１ＢのＮＶＭ５Ｂに記憶されたデータを読み出し、印字する。
【００６４】
また、交換元コントローラボード１Ｂ上のＮＶＭ５Ｂのデータが完全に消去されたことを確認するために、交換元コントローラボード１Ｂだけではなく交換先コントローラボード１Ａ上のＮＶＭ５Ａに記憶されたデータを、コントロールパネル２０に表示、または印字するものであってもよい。両者のデータを比較することで交換元コントローラボード１Ｂからデータが消去されたことをより明確に確認することができる。
【００６５】
このようにして本実施形態は、故障等により交換される交換元コントローラボード１Ｂ内に顧客の機密データが記憶されているか否かを確認することができる。
【００６６】
［第４の実施形態］
次に、本発明に係る第４の実施形態について説明する。
上述した実施形態では、交換先コントローラボードのＣＰＵ２Ａによって生成した０、１またはの無意味なデータを書き込むことでＮＶＭ５Ｂのデータを消去していた。
本実施形態では、交換元コントローラボード１ＢのＮＶＭ５Ｂに書き込む消去用データを交換先コントローラボード１ＡのシステムＲＡＭ４Ａ内にあらかじめ作成し、記憶しておく。交換元コントローラボード１Ｂと交換先コントローラボード１Ａとが接続され、交換元コントローラボード１ＢのＮＶＭ５Ｂに記憶されたデータが読み出されて交換先コントローラボード１ＡのＮＶＭ５Ａに書き込まれると、ＣＰＵ２ＡはシステムＲＡＭ４Ａに記憶した消去用データを交換元コントローラボード１ＢのＮＶＭ５Ｂに転送して書き込む。
【００６７】
コントロールパネルから所定のコマンドが入力されると、交換先コントローラボード１ＡのＣＰＵ２Ａは、交換元コントローラボード１Ｂ上のＮＶＭ５Ｂと交換先コントローラボード１Ａ上のＮＶＭ５Ａに記憶されたデータとを、コントロールパネル２０に表示、または印字する。両者のデータが一致していることを確認することで交換元コントローラボード１Ｂから顧客データが消去されていることを確認することができる。
【００６８】
なお、上述した実施形態では、交換元コントローラボード１Ｂ上のＮＶＭ５Ｂの全領域を消去するとして説明を行ったが、消去する領域は必ずしも全領域である必要はなく、特定の領域、例えばユーザ情報が格納される領域だけのデータを消去するようにしてもよい。
【００６９】
また、データを転送して消去する不揮発性記憶媒体としてＮＶＭを例に挙げて説明を行ったが、バッテリでバックアップされたメモリや電源をＯＦＦしてもデータが保存されるメモリやハードディスクなどであってもよい。電源をＯＦＦしてもデータが保持されるメモリの代表的なものとしてフラッシュメモリ、ＥＥＰＲＯＭ（Ｅｌｅｃｔｒｉｃａｌｌｙ−Ｅｒａｓｅｒｂｌｅ  ａｎｄ  Ｐｒｏｇｒａｍａｂｌｅ  ＲＯＭ）、ＭＲＡＭなどが挙げられる。
【００７０】
なお、上述した実施形態は本発明の好適な実施の形態である。但し、これに限定されることはなく本発明の要旨を逸脱しない範囲内において種々変形実施可能である。
【００７１】
【発明の効果】
以上の説明より明らかなように本発明は、交換元コントローラボードの不揮発性記憶媒体に記憶されたデータを交換先コントローラボードの不揮発性記憶媒体に書き込み、交換先コントローラボードの不揮発性記憶媒体への書き込み終了後に、交換元コントローラボードの不揮発性記憶媒体に記憶されたデータを消去することにより、不揮発性記憶媒体内のデータの外部への漏洩を防止することができる。また、コントローラボードを交換する場合、交換元の制御手段が故障等により動作することができない可能性が大いにあり、この場合必要なデータを新たなコントローラボードに反映させることができない。これに対して本発明のように、画像処理装置に搭載された交換先コントローラボードに交換元コントローラボードを接続し、交換先コントローラボードが交換元コントローラに記憶されたデータを読み出しにいくことで、データが読み出せないという問題の発生を防止することができる。
【００７２】
また、交換先コントローラボードと交換元コントローラボードとの間を、アドレス信号ラインと制御信号ラインとデータ信号ラインとを有するケーブルで接続することで、交換先コントローラボードの制御手段による転送元コントローラの制御が可能となる。よって、接続ケーブルに特別な細工を施すことなく、確実、かつ容易に交換元コントローラボードから交換先コントローラボードへのデータ転送、および交換元コントローラボードに記憶されたデータを消去する制御が可能となる。
【００７３】
また、交換先コントローラボードに、交換元のコントローラボードが接続されたことを検出する検出手段を設けたことにより、交換元コントローラボードを交換先コントローラボードに接続することで交換元コントローラボードに記憶されたデータの消去処理を開始することができ、顧客の利便性を向上させることができる。
【図面の簡単な説明】
【図１】本発明に係る実施形態の構成を示すブロック図である。
【図２】交換元コントローラボードと交換先コントローラボードの接続例を示す図である。
【図３】第１の実施形態の動作手順を示すフローチャートである。
【図４】交換元コントローラボードと交換先コントローラボードの接続例を示す図である。
【図５】交換先コントローラボード１Ａと交換元コントローラボード１Ｂとに搭載されたメモリ領域に通しでアドレスを割り当てたアドレスマップの一例を示す図である。
【図６】ＤＭＡ転送によって交換元コントローラボード１Ｂからデータを交換元コントローラボード１Ａに転送する手順を説明するための図である。
【図７】スロット３０やソケットを持つバックプレーンボード４０により交換先コントローラボード１Ａと交換元コントローラボード１Ｂとを接続した場合の構成を示す図である。
【図８】交換元コントローラボード１Ｂの交換先コントローラボード１Ａへの接続を検知する手段の構成を示す図である。
【図９】交換元コントローラボード１Ｂの交換先コントローラボード１Ａへの接続を検知する手段の構成を示す図である。
【図１０】従来の発明の構成を示す図である。
【図１１】従来の発明の構成を示す図である。
【符号の説明】
１Ａ  交換先コントローラボード    １Ｂ  交換元コントローラボード
２  ＣＰＵ                        ３  プログラムＲＯＭ
４  システムＲＡＭ                ５  ＮＶＭ
６  バスブリッジ回路              ７  メモリバス
８  コネクタ                      ９  Ｉ／Ｏバス
１０  ユーザインタフェースコントローラ
１１  ホストインタフェースコントローラ
１２  ビデオインタフェースコントローラ
２０  コントロールパネル          ３０  スロット
４０  バックプレーンボード
【図１】
2005006222.tif 000003
【図２】
2005006222.tif 000004
【図３】
2005006222.tif 000005
【図４】
2005006222.tif 000006
【図５】
2005006222.tif 000007
【図６】
2005006222.tif 000008
【図７】
2005006222.tif 000009
【図８】
2005006222.tif 000010
【図９】
2005006222.tif 000011
【図１０】
2005006222.tif 000012
【図１１】
2005006222.tif 000013